(57)【要約】【課題】住宅玄関扉の電気錠を解錠できる住宅情報盤及び集合用インターホン装置を低コストで提供する。【解決手段】所定の機器からキーレス解錠要求を受け付けると住宅情報盤１０にキーレス解錠モードの実行を所定時間許可するキーレス解錠受信装置１５が設けられており、住宅情報盤１０は、キーレス解錠モードを実行している間、ドアホン子器１４の所定操作を監視して、この操作を検知すると住宅玄関扉２０の電気錠２１を自動的に解錠させる。【選択図】図１
2017048507.tif 000002
【特許請求の範囲】
【請求項１】
住宅玄関扉の電気錠を制御する機能を有した住宅情報盤において、
所定の機器からキーレス解錠要求を受け付けると住宅情報盤にキーレス解錠モードの実行を所定時間許可するキーレス解錠受信装置が設けられており、
前記住宅情報盤は、前記キーレス解錠モードを実行している間、ドアホン子器の所定操作を監視して、この操作を検知すると住宅玄関扉の電気錠を自動的に解錠させることを特徴とする住宅情報盤。
【請求項２】
請求項１に記載の住宅情報盤において、
前記ドアホン子器の所定操作は、呼釦の長押であることを特徴とする住宅情報盤。
【請求項３】
請求項１又は２に記載の住宅情報盤において、
前記住宅情報盤は、前記キーレス解錠モードを実行している間、警戒音を鳴動させ、この鳴動中にキーレス解錠拒否操作がなされると前記キーレス解錠モードを強制的に解除することを特徴とする住宅情報盤。
【請求項４】
請求項１乃至３のいずか一項に記載の住宅情報盤が各住宅に設置されてなる集合用インターホン装置であって、
共同玄関に設置された共同玄関子器は、住宅番号を入力するための操作部が所定手順で操作されたときに、前記キーレス解錠要求を前記キーレス解錠受信装置に送信することを特徴とする集合用インターホン装置。
【請求項５】
請求項４に記載の集合用インターホン装置において、
前記操作部の所定手順の操作には、前記住宅情報盤で予め登録された暗証番号の入力が含まれていることを特徴とする集合用インターホン装置。
【請求項６】
請求項４又は５に記載の集合用インターホン装置において、
前記操作部の所定手順の操作には、前記キーレス解錠モードの許可時間の入力が含まれていることを特徴とする集合用インターホン装置。
【請求項７】
請求項１乃至３のいずれか一項に記載の住宅情報盤が各住宅に設置されてなる集合用インターホン装置であって、
管理室に設置された管理室親機は、住宅番号を入力するための操作部が所定手順で操作されたときに、前記キーレス解錠要求を前記キーレス解錠受信装置に送信することを特徴とする集合用インターホン装置。
【発明の詳細な説明】
【技術分野】
【０００１】
本発明は、住宅玄関扉の電気錠を制御する機能を有した住宅情報盤、及びこの住宅情報盤が各住宅に設置されてなる集合用インターホン装置に関する。
【背景技術】
【０００２】
前記のような住宅情報盤、あるいは集合用インターホン装置では、居住者が住宅玄関扉を解錠するための専用キーを外出中に紛失したようなとき、管理人等に依頼してマスターキー等によって住宅玄関扉を解錠してもらう必要があった。これに対し次の特許文献１には、帰宅者が共同玄関で個人照合操作をすることで共同玄関扉及び住宅玄関扉を解錠することが記載されている。
【先行技術文献】
【特許文献】
【０００３】
【特許文献１】特開２００２−０１３３２７号公報
【発明の概要】
【発明が解決しようとする課題】
【０００４】
しかしながら特許文献１では、個人識別装置として、指紋や、眼の網膜や虹彩などの照合装置を用いており、そのためコスト高になるという問題があった。
本発明はこのような問題に着目してなされたものであり、専用キーを所持していなくても住宅玄関扉の電気錠を解錠できる住宅情報盤及び集合用インターホン装置を低コストで提供することを目的としている。
【課題を解決するための手段】
【０００５】
本発明は、住宅玄関扉の電気錠を制御する機能を有した住宅情報盤において、所定の機器からキーレス解錠要求を受け付けると住宅情報盤にキーレス解錠モードの実行を所定時間許可するキーレス解錠受信装置が設けられており、前記住宅情報盤は、前記キーレス解錠モードを実行している間、ドアホン子器の所定操作を監視して、この操作を検知すると住宅玄関扉の電気錠を自動的に解錠させることを特徴とする。
【０００６】
また本発明は、住宅情報盤が各住宅に設置されてなる集合用インターホン装置において、共同玄関に設置された共同玄関子器は、住宅番号を入力するための操作部が所定手順で操作されたときに、前記キーレス解錠要求を前記キーレス解錠受信装置に送信することを特徴とする。
また本発明は、住宅情報盤が各住宅に設置されてなる集合用インターホン装置において、管理室に設置された管理室親機は、住宅番号を入力するための操作部が所定手順で操作されたときに、前記キーレス解錠要求を前記キーレス解錠受信装置に送信することを特徴とする。
【発明の効果】
【０００７】
本発明によれば、住宅玄関扉のキーレス解錠が、生体認証装置等の特別な要素を必要とせず、基本的にソフトウェアによって実現でき、そのためのコストが抑えられる。
【図面の簡単な説明】
【０００８】
【図１】実施形態の一例の基本構成を示すブロック図である。
【図２】共同玄関子器の具体例を示す正面図である。
【図３】（ａ）〜（Ｇ）は、キーレス解錠のための操作手順図と、その操作中に表示される案内画面とを時系列的に並べたものである。
【図４】住宅情報盤の具体例を示す正面図である。
【図５】キーレス解錠に係る全体的な作用を時系列的に示したフロー図である。
【図６】実施形態の他例の基本構成を示すブロック図である。
【発明を実施するための形態】
【０００９】
図１は、実施形態の一例とされる集合用インターホン装置の基本構成を示すブロック図である。
インターホン装置１は、棟内の各住宅に設置された複数の住宅情報盤１０、共同玄関に設置された共同玄関子器１１、管理室に設置された管理室親機１２を、制御装置１３、インターホン回線１６を介して相互接続した基本構成になっている。制御装置１３は、共同玄関子器１１、住宅情報盤１０、管理室親機１２の間で呼出通話を行わせるために通信制御する要素である。なおインターホン装置１の呼出通話に係る作用は従来と同様なので、その説明は省略する。
【００１０】
住宅情報盤１０は、ドアホン子器１４が接続されており、このドアホン子器１４との間で呼出通話が可能である。また住宅情報盤１０は住宅玄関扉２０の電気錠２１が接続されており、この電気錠２１を制御する機能を有する。電気錠２１にはキーシリンダー２２が付設されており、外側から解錠するには専用キー２３を必要とする。
【００１１】
共同玄関子器１１は、逆マスターキーシリンダー２４が接続されており、この逆マスターキーシリンダー２４が各住宅の専用キー２３によって操作されると、共同玄関扉２５の電気錠２６を解錠させるように構成されている。
【００１２】
キーレス解錠受信装置１５は、所定の機器からキーレス解錠要求を受け付けると住宅情報盤１０にキーレス解錠モードの実行を所定時間許可する要素である。キーレス解錠は、専用キー２３を用いず、ドアホン子器１４の操作によって住宅玄関扉２０を解錠するための特殊機能である。インターホン装置１にこのような機能を持たせておけば、居住者が外出中に専用キー２３を紛失した場合でも、簡単に住宅玄関扉２０を開けることができ非常に利便である。またキーレス解錠は、生体認証装置等の特別な要素を必要とせず、基本的にソフトウェアによって実現できるので、コストが抑えられる。
【００１３】
住宅情報盤１０は、このキーレス解錠モードを実行している間、ドアホン子器１４の所定操作を監視して、この操作を検知すると住宅玄関扉２０の電気錠２１を自動的に解錠させるように構成されている。ここでドアホン子器１４の所定操作は、例えば呼釦１４ａの長押としてもよいし、あるいは呼釦１４ａの所定回数の連続押としてもよい。また住宅情報盤１０は、キーレス解錠モードが許可される時間、すなわちドアホン子器１４の所定操作を監視する最大時間が経過するとキーレス解錠モードを解除させる。このような許可時間を設け、時間経過によってキーレス解除モードが自動的に解除されるようにすると安心である。
【００１４】
キーレス解錠受信装置１５は、インターホン装置１のどの位置に設けてもよいが、本実施形態では共同玄関子器１１に付設されている。キーレス解錠受信装置１５は共同玄関子器１１と一体に構成しても構わない。
【００１５】
キーレス解錠受信装置１５にキーレス解錠要求を送信する機器としては、まず共同玄関子器１１が考えられる。この場合、共同玄関子器１１は、住宅番号を入力するための操作部１１ｂが所定手順で操作されたときに、キーレス解錠要求をキーレス解錠受信装置１５に送信するように構成するとよい。
【００１６】
この所定手順の操作には、住宅情報盤１０で予め登録された暗証番号の入力が含まれていてもよい。この暗証番号は住宅情報盤１０に保存してもよいし、キーレス解錠受信装置１５に保存してもよい。なお暗証番号の桁数は任意であり、随時変更できる。キーレス解錠受信装置１５は、自機に保存している又は住宅情報盤１０に問い合わせて取得した暗証番号と、共同玄関子器１１で操作入力された暗証番号とを比較して一致していれば、住宅情報盤１０にキーレス解錠モードの実行を許可する。
【００１７】
また前記所定手順の操作には、キーレス解錠モードの許可時間の入力が含まれていてもよい。共同玄関から住宅に到達するのに要する時間は棟内の住宅位置によって異なるから、許可時間を適切に設定すればキーレス解錠モードが不要に長引くことが防止される。例えばキーレス解錠モードが開始されてから帰宅を取りやめた場合でも、許可時間が適切であれば不審者に住宅侵入を許す可能性が低くなる。許可時間は、設定可能な値に上限を定めておき、極端に長い時間を設定できないようにするとよい。
【００１８】
図２は、キーレス解錠要求を送信するように構成された共同玄関子器の具体例を示す正面図である。また図３（ａ）〜（ｇ）は、キーレス解錠のための具体的なキー操作の手順図と、その操作中に適宜切換表示される案内画面とを時系列的に並べたものである。
【００１９】
図２に示すように、共同玄関子器１１は、筐体１１ａの正面に、住宅番号を入力するためのテンキーからなる操作部１１ｂと、案内画面等を表示する表示部１１ｃと、マイク孔１１ｄと、スピーカー孔１１ｅと、訪問者を撮影するカメラ１１ｆと、夜間照明用のＬＥＤランプ１１ｇとが設けられている。マイク孔１１ｄ、スピーカー孔１１ｅの裏側には通話用のマイク、スピーカーがそれぞれ配置されている（図示なし）。また共同玄関子器１１は逆マスターキーシリンダー２４を内蔵しており、筐体１１ａの正面にそのキー挿入部２４ａが露出している。
【００２０】
共同玄関子器１１におけるキーレス解錠のための操作手順の一例を説明する。その手順は、例えば図３（ａ）に示すように、共同玄関子器１１の操作部１１ｂで住宅番号と「＃」キーとを入力することで開始される。呼出通話のための操作は住宅番号と「呼出」キーの入力であるから、キーレス解錠のための操作は最後に押される「呼出」キー、「＃」キーの違いによって区別できる。ここで住宅番号と「＃」キーの入力がなされると、表示部１１ｃには図３（ｂ）、（ｃ）に示すようなガイド画面が切換表示される。
そのガイド画面に従って図３（ｄ）に示すように暗証番号と「＃」キーの入力がなされると、表示部１１ｃには図３（ｅ）に示すようなガイド画面が切換表示される。
そのガイド画面に従って図３（ｆ）に示すように許可時間と「呼出」キーの入力がなされると、キーレス解錠受信機が住宅情報盤にキーレス解錠モードを許可し、表示部１１ｃには図３（ｇ）に示すようなガイド画面（キーレス解錠通知画面）が切換表示される。
【００２１】
キーレス解錠受信装置１５にキーレス解錠要求を送信する他の機器としては、管理室親機１２も考えられる。この場合、管理室親機１２は、共同玄関子器１１の場合と同様に、住宅番号を入力するための操作部１２ａが所定手順で操作されたときに、キーレス解錠要求をキーレス解錠受信装置１５に送信するように構成するとよい。このような構成としたとき、専用キー２３を所持しない帰宅者は、管理室親機１２との呼出通話によって管理人に住宅玄関扉２０のキーレス解錠を依頼すればよい。
【００２２】
なおキーレス解錠のための暗証番号が不審者に知られてしまうこともあり得る。そこで考えられる最悪な状況は、在宅中に不審者がキーレス解錠によって住宅扉を開いて住宅内に侵入してくることである。こういったケースを回避するため、住宅情報盤１０は、キーレス解錠モードを実行している間、警戒画面を表示し、あるいは警戒音を鳴動させることで、住宅内にキーレス解錠モードの実行中であることを報知するとよい。そして住宅情報盤１０は住宅内の居住者によってキーレス解錠拒否操作がなされるとキーレス解錠モードを強制的に解除するように構成することが望ましい。
このようにすれば不在時にキーレス解錠によって不審者に侵入されることはあっても、在宅中に宅内に侵入されることは防ぐことが可能になる。また同様の観点から、住宅情報盤１０は、ワンタッチ操作でキーレス解錠そのものを許可、禁止できるように構成するとよい（禁止の場合はキーレス解錠モードが許可されても実行しない）。
【００２３】
図４はキーレス解錠モードの実行中に表示される警報画面の一例を示す住宅情報盤の正面図である。
住宅情報盤１０は、筐体１０ａの正面に、通話キー等からなる操作部１０ｂと、複数のファンクションキー１０ｃと、タッチパネルからなる表示部１０ｄと、マイク孔１０ｅと、スピーカー孔１０ｆと、お知らせランプ等からなる表示灯１０ｇとが設けられている。マイク孔１０ｅ、スピーカー孔１０ｆの裏側には通話用のマイク、スピーカーがそれぞれ配置されている（図示なし）。
キーレス解錠モードの実行中は、「キーレス解錠モードにされました」等の警報音がスピーカーから鳴動されるとともに、表示部１０ｄに図４に示すような警報画面が表示される。この警報画面は、ドアホン子器の撮影画像の上に「キーレス解錠モード実行中」の警報メッセージを重ねたものである。警報画面の下部には、「解錠拒否」キー１０ｈ、「通報」キー１０ｉ等が表示されている。前者をタッチ操作すればキーレス解錠モードを強制的に解除でき、後者をタッチ操作すれば不審者を管理室親機等に通報できる。
【００２４】
次いでインターホン装置のキーレス解錠に係る全体的な作用を説明する。
図５は、その全体的な作用を時系列的に示したフロー図である。
まずキーレス解錠の準備として、住宅情報盤で暗証番号登録操作がなされる。これにより登録された暗証番号は住宅情報盤に保存される（時刻Ｔ１）。
以下は、キーレス解錠に係る作用である。
専用キーを所持しない帰宅者は、共同玄関子器に対して図３（ａ）、（ｄ）、（ｆ）に示したような手順でキーレス解錠のための所定操作を行う（時刻Ｔ２）。この操作がなされると、共同玄関子器はキーレス解錠要求をキーレス解錠受信機に送信する（時刻Ｔ３）。これを受けて、キーレス解錠受信機は、住宅情報盤に暗証番号を問い合わせる等して、共同玄関子器で入力された暗証番号を検証する（時刻Ｔ４）。この検証が成功すると、キーレス解錠受信機は住宅情報盤にキーレス解錠モードを許可する。これを受けて、住宅情報盤はキーレス解錠モードを開始する（時刻Ｔ５）。キーレス解錠モードを開始した住宅情報盤は、共同玄関解錠指令を共同玄関子器に送信し、これを受けた共同玄関子器は、図３（ｇ）に示したようなガイド画面を表示するとともに共同玄関扉の電気錠を解錠させる（時刻Ｔ６）。またキーレス解錠モードを実行中の住宅情報盤は、許可時間が経過するまでドアホン子器の所定操作を監視している。ドアホン子器の所定操作がないまま許可時間が経過すると住宅情報盤はキーレス解錠モードを解除させる。許可時間内にドアホン子器で所定操作がなされると、住宅情報盤は住宅扉の電気錠を解錠させて、キーレス解錠モードを解除させる（時刻Ｔ７）。
【００２５】
なおキーレス解錠受信機は、住宅情報盤の各々に付設してもよい。
図６はそのような実施形態の他例の基本構成を示すブロック図である。ここではキーレス解錠受信装置１５が住宅情報盤１０の各々に付設されている。これらのキーレス解錠受信装置１５は住宅情報盤１０と一体に構成しても構わない。他の構成要素は、図１に示した例と同様であり、共通する要素には同一の参照符号を付けている。
この実施形態では、キーレス解錠の作用が、共同玄関子器１１から住宅情報盤１０にキーレス解錠要求が送信され、住宅情報盤１０はそこに含まれる暗証番号の確認をしてキーレス解錠モードを開始するというシンプルな手順になる。よってインターホン装置１の構成（ソフトウェア）が簡単になるという効果が期待できる。
【符号の説明】
【００２６】
１          インターホン装置
１０        住宅情報盤
１１        共同玄関子器
１１ｂ      操作部
１２        管理室親機
１２ａ      操作部
１４        ドアホン子器
１４ａ      呼釦
１５        キーレス解錠受信装置
２０        住宅玄関扉
２１        電気錠
【図１】
2017048507.tif 000003
【図２】
2017048507.tif 000004
【図３】
2017048507.tif 000005
【図４】
2017048507.tif 000006
【図５】
2017048507.tif 000007
【図６】
2017048507.tif 000008